(57)【要約】【課題】複数色の色材を用いて記録材上にカラー画像を形成する画像形成装置において、正規の色材とは特性が異なる色材が用いられた場合に、そのことをユーザに警告する。【解決手段】第１および第２色補正テーブル記憶部５２，５３に、同じ第１色空間の画像データに対応する第２色空間の画像データとして、所定の画像形成装置によって既定の色材を用いて上記第１色空間の画像データに対応する画像を形成したときに略同じ色に視認され、かつ各色成分の信号値の組み合わせが上記色補正テーブル毎に異なる第２色空間の画像データを記憶した第１および第２色補正テーブルをそれぞれ記憶させておく。色補正処理部５１は、マスクパターン記憶部５４に記憶させておいたマスクパターンに基づいて色補正処理に用いる色補正テーブルを画素毎に選択し、選択した色補正テーブルを用いて各画素の色補正処理を行う。【選択図】図１
2010130501.tif 000002
【特許請求の範囲】
【請求項１】
第１色空間の画像データを第２色空間の画像データに変換する色補正処理を行う画像処理装置であって、
第１色空間の画像データと第２色空間の画像データとの対応関係を記憶した複数の色補正テーブルと、
上記複数の色補正テーブルの中から選択した色補正テーブルを用いて上記色補正処理を行う色補正処理部とを備え、
上記各色補正テーブルは、
同じ第１色空間の画像データに対応する第２色空間の画像データとして、複数色の色材を用いて記録材上にカラー画像を形成する所定の画像形成装置によって既定の色材を用いて上記第１色空間の画像データに対応する画像を形成したときに略同じ色に視認され、かつ各色成分の信号値の組み合わせが上記色補正テーブル毎に異なる第２色空間の画像データを記憶しており、
上記色補正処理部は、
上記複数の色補正テーブルのうちのいずれの色補正テーブルを用いて色補正処理を行うかを画像データの領域毎に定めたマスクパターンを参照することによって色補正処理に用いる色補正テーブルを画素毎に選択し、選択した色補正テーブルを用いて各画素の色補正処理を行うことを特徴とする画像処理装置。
【請求項２】
上記複数の色補正テーブルとして第１色補正テーブルと第２色補正テーブルとを備えており、
上記第１色補正テーブルを用いて色補正処理を行った結果に基づいて上記画像形成装置によって上記既定の色材を用いて記録材上に形成した画像と、上記第２色補正テーブルを用いて色補正処理を行った結果に基づいて上記画像形成装置によって上記既定の色材を用いて記録材上に形成した画像との色差が所定値以上となる第１色空間の画像データにおける各色成分の信号値の組み合わせを記憶した色差情報記憶部を備え、
上記色補正処理部は、色補正処理の対象画素についての第１色空間の画像データにおける各色成分の信号値の組み合わせが、上記色差が所定値以上となる組み合わせである場合に、上記マスクパターンにかかわらず第１色補正テーブルを用いて当該画素の色補正処理を行うことを特徴とする請求項１に記載の画像処理装置。
【請求項３】
予め定められた上記マスクパターンを記憶するマスクパターン記憶部を備えていることを特徴とする請求項１または２に記載の画像処理装置。
【請求項４】
上記マスクパターン記憶部は、上記画像形成装置において画像形成に用いることのできる最大サイズの画像データに応じたサイズの上記マスクパターンを記憶しており、
上記色補正処理部は、上記マスクパターン記憶部に記憶されているマスクパターンから色補正処理の対象とする画像データのサイズに応じたサイズのマスクパターンを抽出し、抽出したマスクパターンを用いて色補正処理を行うことを特徴とする請求項３に記載の画像処理装置。
【請求項５】
色補正処理の対象となる画像データのサイズに応じて上記マスクパターンを生成するマスクパターン生成部を備えていることを特徴とする請求項１または２に記載の画像処理装置。
【請求項６】
上記第２色空間の画像データはＣＭＹＫの４色信号であり、
上記複数の色補正テーブルのうちの１つにおける第２色空間の画像データは、第２色空間の色をＫの色成分を用いずに表現したものであり、
上記複数の色補正テーブルのうちの他の１つにおける第２色空間の画像データは、第２色空間の色をＫの色成分を用いて表現したものであることを特徴とする請求項１から５のいずれか１項に記載の画像処理装置。
【請求項７】
請求項１から６のいずれか１項に記載の画像処理装置を備えていることを特徴とする画像形成装置。
【請求項８】
第１色空間の画像データを第２色空間の画像データに変換する色補正処理を行う画像処理方法であって、
第１色空間の画像データと第２色空間の画像データとの対応関係を記憶した複数の色補正テーブルの中から選択した色補正テーブルを用いて上記色補正処理を行う色補正工程を含み、
上記各色補正テーブルは、
同じ第１色空間の画像データに対応する第２色空間の画像データとして、複数色の色材を用いて記録材上にカラー画像を形成する所定の画像形成装置によって既定の色材を用いて上記第１色空間の画像データに対応する画像を形成したときに略同じ色に視認され、かつ各色成分の信号値の組み合わせが上記色補正テーブル毎に異なる第２色空間の画像データを記憶しており、
上記色補正工程では、
上記複数の色補正テーブルのうちのいずれの色補正テーブルを用いて色補正処理を行うかを画像データの領域毎に定めたマスクパターンを参照することによって色補正処理に用いる色補正テーブルを画素毎に選択し、選択した色補正テーブルを用いて各画素の色補正処理を行うことを特徴とする画像処理方法。
【請求項９】
上記第２色空間の画像データはＣＭＹＫの４色信号であり、
上記複数の色補正テーブルは第１色補正テーブルおよび第２色補正テーブルからなり、
上記画像形成装置において出力可能な第２色空間における複数の色座標の画像データに対応する画像をＣＭＹＫの既定の色材を用いて記録材上に出力し、記録材上に出力された各色座標に対応する画像の色を測色する第１測色工程と、
上記各色座標の画像データに対応する第１色空間の画像データと上記第１測色工程の測色結果とに基づいて上記第１色補正テーブルを生成する工程と、
上記各色座標の画像データに対応する画像をＣＭＹの既定の色材を用いて記録材上に出力し、記録材上に出力された各色座標に対応する画像の色を測色する第２測色工程と、
上記各色座標の画像データに対応する第１色空間の画像データと上記第２測色工程の測色結果とに基づいて上記第２色補正テーブルを生成する工程とを含むことを特徴とする請求項８に記載の画像処理方法。
【請求項１０】
上記各色座標に対応する画像をＣＭＹＫの既定の色材を用いて記録材上に出力した画像と上記各色座標に対応する画像をＣＭＹの既定の色材を用いて記録材上に出力した画像との色差を上記色座標毎に検出する工程を含み、
上記第２色補正テーブルを生成する工程では、上記色差が所定値以上である色座標に対応する第２色空間の画像データを、上記第１色補正テーブルにおける当該色座標に対応する第２色空間の画像データと同じ画像データに置き換えることを特徴とする請求項９に記載の画像処理方法。
【請求項１１】
請求項１から６のいずれか１項に記載の画像処理装置を動作させるプログラムであって、コンピュータを上記色補正処理部として機能させるためのプログラム。
【請求項１２】
請求項１１に記載のプログラムを記録したコンピュータ読み取り可能な記録媒体。
【発明の詳細な説明】
【技術分野】
【０００１】
本発明は、第１色空間の画像データを第２色空間の画像データに変換する色補正処理を行う画像処理装置、画像処理方法、および上記画像処理装置を備えた画像形成装置に関するものである。
【背景技術】
【０００２】
近年、プリンタ、複写機、複合機などの画像形成装置の製造者や販売者以外の第三者が、画像形成装置に装填可能なトナーカートリッジやインクカートリッジを製造あるいは販売する場合がある。その場合、カートリッジに充填されているトナーやインク等の色材の色再現特性は、画像形成装置の製造者や販売者が販売する純正品（既定の色材）と一致していないことが多い。色再現特性の異なる色材を画像形成装置に装填して画像形成処理を行うと、所望の色再現性が得られず、記録材上に形成される画像の画質が純正品を用いた場合よりも低下してしまう。
【０００３】
このような問題を解決するために、例えば特許文献１には、ホストコンピュータがプリンタに対して装填されているインクカートリッジの識別情報を要求し、プリンタから識別情報を受信してその識別情報がプリンタの種類に対応した所定のものであるか否かを調べ、所定のものでない場合には警告を行う技術が開示されている。なお、プリンタは、インクカートリッジに備えられたＩＣチップに記録されているインクカートリッジの識別情報（インクカートリッジの製造元、製造年月、型番、カートリッジ名称、インク種類（黒またはカラー））を検知し、検知した識別情報をホストコンピュータへ返答する。これにより、特許文献１の技術では、ユーザが、プリンタに装填されているインクカートリッジが指定されたものであるか否かを知ることができ、意に反して不適正なカラーバランスの印刷結果が出力されることの防止を図っている。
【特許文献１】特開２００１−１０５６２５号公報（平成１３年４月１７日公開）
【発明の開示】
【発明が解決しようとする課題】
【０００４】
しかしながら、上記特許文献１の技術では、カートリッジの本体自体は純正品であるがカートリッジの内容物（インクやトナー）が入れ替わっている場合などに、そのことをユーザに警告する手段がない。
【０００５】
本発明は、上記の問題点に鑑みてなされたものであり、その目的は、複数色の色材を用いて記録材上にカラー画像を形成する画像形成装置において、既定の色材とは特性が異なる色材が用いられた場合に、そのことをユーザに警告することにある。
【課題を解決するための手段】
【０００６】
本発明の画像処理装置は、上記の課題を解決するために、第１色空間の画像データを第２色空間の画像データに変換する色補正処理を行う画像処理装置であって、第１色空間の画像データと第２色空間の画像データとの対応関係を記憶した複数の色補正テーブルと、上記複数の色補正テーブルの中から選択した色補正テーブルを用いて上記色補正処理を行う色補正処理部とを備え、上記各色補正テーブルは、同じ第１色空間の画像データに対応する第２色空間の画像データとして、複数色の色材を用いて記録材上にカラー画像を形成する所定の画像形成装置によって既定の色材を用いて上記第１色空間の画像データに対応する画像を形成したときに略同じ色に視認され、かつ各色成分の信号値の組み合わせが上記色補正テーブル毎に異なる第２色空間の画像データを記憶しており、上記色補正処理部は、上記複数の色補正テーブルのうちのいずれの色補正テーブルを用いて色補正処理を行うかを画像データの領域毎に定めたマスクパターンを参照することによって色補正処理に用いる色補正テーブルを画素毎に選択し、選択した色補正テーブルを用いて各画素の色補正処理を行うことを特徴としている。
【０００７】
上記の構成によれば、上記複数の色補正テーブルは、同じ第１色空間の画像データに対応する第２色空間の画像データとして、複数色の色材を用いて記録材上にカラー画像を形成する画像形成装置によって既定の色材を用いて上記第１色空間の画像データに対応する画像を形成したときに略同じ色に視認され、かつ各色成分の信号値の組み合わせが色補正テーブル毎に異なる第２色空間の画像データを記憶している。そして、上記色補正処理部は、上記複数の色補正テーブルのうちのいずれの色補正テーブルを用いて色補正処理を行うかを画像データの領域毎に定めたマスクパターンを参照することによって色補正処理に用いる色補正テーブルを画素毎に選択し、選択した色補正テーブルを用いて各画素の色補正処理を行う。
【０００８】
これにより、上記の画像形成装置によって既定の色材を用いて第１色空間の画像データに対応する画像を形成した場合には、画像データの領域毎に異なる色補正テーブルを用いて色補正処理を行っていても色の違いはユーザに視認されない。しかしながら、既定の色材とは異なる色材、すなわち、第２色空間の各色成分に対応する各色の色材のうちの少なくとも１色の色材の分光分布の特性が当該色の既定の色材における分光分布の特性とは異なる色材を用いて上記の第１色空間の画像データに対応する画像を形成した場合には、同じ第１色空間の画像データに対応する画像であっても画像データの領域毎に異なる色に視認される。したがって、既定の色材とは異なる色材によって画像形成が行われた場合、マスクパターンに応じた模様等が視認される。すなわち、上記画像形成装置において既定の色材とは特性が異なる色材が使用された場合に顕在化するパターンを埋め込んで画像形成を行うことができる。これにより、既定の色材とは特性が異なる色材が使用された場合に上記のパターンをユーザに視認させて警告することができる。
【０００９】
また、上記複数の色補正テーブルとして第１色補正テーブルと第２色補正テーブルとを備えており、上記第１色補正テーブルを用いて色補正処理を行った結果に基づいて上記画像形成装置によって上記既定の色材を用いて記録材上に形成した画像と、上記第２色補正テーブルを用いて色補正処理を行った結果に基づいて上記画像形成装置によって上記既定の色材を用いて記録材上に形成した画像との色差が所定値以上となる第１色空間の画像データにおける各色成分の信号値の組み合わせを記憶した色差情報記憶部を備え、上記色補正処理部は、色補正処理の対象画素についての第１色空間の画像データにおける各色成分の信号値の組み合わせが、上記色差が所定値以上となる組み合わせである場合に、上記マスクパターンにかかわらず第１色補正テーブルを用いて当該画素の色補正処理を行う構成としてもよい。
【００１０】
上記の構成によれば、上記画像形成装置によって既定の色材を用いて上記第１色空間の画像データに対応する画像を形成したときに略同じ色に視認され、かつ各色成分の信号値の組み合わせが互いに異なる第２色空間の画像データが存在しない色について、既定の色材を用いて画像形成しているにもかかわらずマスクパターンに応じた模様等が視認されてしまうという不具合が生じることを防止できる。
【００１１】
また、予め定められた上記マスクパターンを記憶するマスクパターン記憶部を備えている構成としてもよい。
【００１２】
上記の構成によれば、色補正処理部がマスクパターン記憶部に記憶されているマスクパターンを参照して色補正処理を行うことができる。
【００１３】
また、上記マスクパターン記憶部は、上記画像形成装置において画像形成に用いることのできる最大サイズの画像データに応じたサイズの上記マスクパターンを記憶しており、上記色補正処理部は、上記マスクパターン記憶部に記憶されているマスクパターンから色補正処理の対象とする画像データのサイズに応じたサイズのマスクパターンを抽出し、抽出したマスクパターンを用いて色補正処理を行う構成としてもよい。
【００１４】
上記の構成によれば、マスクパターン記憶部に記憶しているマスクパターンのサイズと色補正処理の対象とする画像データのサイズとが異なる場合であっても適切に色補正処理を行うことができる。また、画像データのサイズ毎にマスクパターンを記憶させておく必要がないので、マスクパターン記憶部の記憶容量を低減できる。
【００１５】
また、色補正処理の対象となる画像データのサイズに応じて上記マスクパターンを生成するマスクパターン生成部を備えている構成としてもよい。
【００１６】
上記の構成によれば、マスクパターンを記憶させておく必要がないので、画像処理装置に要求される記憶容量を低減できる。
【００１７】
また、上記第２色空間の画像データはＣＭＹＫの４色信号であり、上記複数の色補正テーブルのうちの１つにおける第２色空間の画像データは、第２色空間の色をＫの色成分を用いずに表現したものであり、上記複数の色補正テーブルのうちの他の１つにおける第２色空間の画像データは、第２色空間の色をＫの色成分を用いて表現したものである構成としてもよい。なお、Ｃ，Ｍ，Ｙ，Ｋはそれぞれシアン、マゼンタ、イエロー、ブラックの各色を表す。
【００１８】
上記の構成によれば、Ｋを含まないＣＭＹの３色からなる画像データを用いた色補正テーブルと、当該画像データにおけるＣＭＹの３色の重なり部分からなるグレー成分を減らしてＫ成分で置き換えたＣＭＹＫの画像データを用いた色補正テーブルとを上記複数の色補正テーブルとすることができる。これにより、上記画像形成装置によって既定の色材を用いて上記第１色空間の画像データに対応する画像を形成したときに略同じ色に視認され、かつ各色成分の信号値の組み合わせが色補正テーブル毎に異なる第２色空間の画像データを記憶した複数の色補正テーブルを容易に生成できる。
【００１９】
本発明の画像形成装置は、上記したいずれかの画像処理装置を備えていることを特徴としている。
【００２０】
それゆえ、既定の色材とは特性が異なる色材が使用された場合に顕在化するパターンを埋め込んで画像形成を行うことができ、既定の色材とは特性が異なる色材が使用された場合に上記のパターンをユーザに視認させて警告することができる。
【００２１】
本発明の画像処理方法は、上記の課題を解決するために、第１色空間の画像データを第２色空間の画像データに変換する色補正処理を行う画像処理方法であって、第１色空間の画像データと第２色空間の画像データとの対応関係を記憶した複数の色補正テーブルの中から選択した色補正テーブルを用いて上記色補正処理を行う色補正工程を含み、上記各色補正テーブルは、同じ第１色空間の画像データに対応する第２色空間の画像データとして、複数色の色材を用いて記録材上にカラー画像を形成する所定の画像形成装置によって既定の色材を用いて上記第１色空間の画像データに対応する画像を形成したときに略同じ色に視認され、かつ各色成分の信号値の組み合わせが上記色補正テーブル毎に異なる第２色空間の画像データを記憶しており、上記色補正工程では、上記複数の色補正テーブルのうちのいずれの色補正テーブルを用いて色補正処理を行うかを画像データの領域毎に定めたマスクパターンを参照することによって色補正処理に用いる色補正テーブルを画素毎に選択し、選択した色補正テーブルを用いて各画素の色補正処理を行うことを特徴としている。
【００２２】
上記の方法によれば、上記複数の色補正テーブルは、同じ第１色空間の画像データに対応する第２色空間の画像データとして、複数色の色材を用いて記録材上にカラー画像を形成する画像形成装置によって既定の色材を用いて上記第１色空間の画像データに対応する画像を形成したときに略同じ色に視認され、かつ各色成分の信号値の組み合わせが上記色補正テーブル毎に異なる第２色空間の画像データを記憶している。そして、上記色補正工程では、上記複数の色補正テーブルのうちのいずれの色補正テーブルを用いて色補正処理を行うかを画像データの領域毎に定めたマスクパターンを参照することによって色補正処理に用いる色補正テーブルを画素毎に選択し、選択した色補正テーブルを用いて各画素の色補正処理を行う。
【００２３】
これにより、上記の画像形成装置によって既定の色材を用いて第１色空間の画像データに対応する画像を形成した場合には、画像データの領域毎に異なる色補正テーブルを用いて色補正処理を行っていても色の違いはユーザに視認されない。しかしながら、既定の色材とは異なる色材、すなわち、第２色空間の各色成分に対応する各色の色材のうちの少なくとも１色の色材の分光分布の特性が当該色の既定の色材における分光分布の特性とは異なる色材を用いて上記の第１色空間の画像データに対応する画像を形成した場合には、同じ第１色空間の画像データに対応する画像であっても画像データの領域毎に異なる色に視認される。したがって、既定の色材とは異なる色材によって画像形成が行われた場合、マスクパターンに応じた模様等が視認される。すなわち、上記画像形成装置において既定の色材とは特性が異なる色材が使用された場合に顕在化するパターンを埋め込んで画像形成を行うことができる。これにより、既定の色材とは特性が異なる色材が使用された場合に上記のパターンをユーザに視認させて警告することができる。
【００２４】
また、上記第２色空間の画像データはＣＭＹＫの４色信号であり、上記複数の色補正テーブルは第１色補正テーブルおよび第２色補正テーブルからなり、上記画像形成装置において出力可能な第２色空間における複数の色座標の画像データに対応する画像をＣＭＹＫの既定の色材を用いて記録材上に出力し、記録材上に出力された各色座標に対応する画像の色を測色する第１測色工程と、上記各色座標の画像データに対応する第１色空間の画像データと上記第１測色工程の測色結果とに基づいて上記第１色補正テーブルを生成する工程と、上記各色座標の画像データに対応する画像をＣＭＹの既定の色材を用いて記録材上に出力し、記録材上に出力された各色座標に対応する画像の色を測色する第２測色工程と、上記各色座標の画像データに対応する第１色空間の画像データと上記第２測色工程の測色結果とに基づいて上記第２色補正テーブルを生成する工程とを含んでいてもよい。
【００２５】
上記の方法によれば、上記画像形成装置によって既定の色材を用いて上記第１色空間の画像データに対応する画像を形成したときに略同じ色に視認され、かつ各色成分の信号値の組み合わせが色補正テーブル毎に異なる第２色空間の画像データを記憶した第１の色補正テーブルおよび第２の色補正テーブルを容易に生成できる。
【００２６】
また、上記各色座標に対応する画像をＣＭＹＫの既定の色材を用いて記録材上に出力した画像と上記各色座標に対応する画像をＣＭＹの既定の色材を用いて記録材上に出力した画像との色差を上記色座標毎に検出する工程を含み、上記第２色補正テーブルを生成する工程では、上記色差が所定値以上である色座標に対応する第２色空間の画像データを、上記第１色補正テーブルにおける当該色座標に対応する第２色空間の画像データと同じ画像データに置き換えるようにしてもよい。
【００２７】
上記の方法によれば、上記画像形成装置によって既定の色材を用いて上記第１色空間の画像データに対応する画像を形成したときに略同じ色に視認され、かつ各色成分の信号値の組み合わせが互いに異なる第２色空間の画像データが存在しない色について、既定の色材を用いて画像形成しているにもかかわらずマスクパターンに応じた模様等が視認されてしまうという不具合が生じることを防止できる。
【００２８】
なお、上記画像処理装置は、コンピュータによって実現してもよく、この場合には、コンピュータを上記色補正処理部として動作させることにより、上記画像処理装置をコンピュータにて実現させるプログラム、およびそれを記録したコンピュータ読み取り可能な記録媒体も、本発明の範疇に含まれる。
【発明の効果】
【００２９】
以上のように、本発明の画像処理装置は、上記各色補正テーブルは、同じ第１色空間の画像データに対応する第２色空間の画像データとして、複数色の色材を用いて記録材上にカラー画像を形成する所定の画像形成装置によって既定の色材を用いて上記第１色空間の画像データに対応する画像を形成したときに略同じ色に視認され、かつ各色成分の信号値の組み合わせが上記色補正テーブル毎に異なる第２色空間の画像データを記憶しており、上記色補正処理部は、上記複数の色補正テーブルのうちのいずれの色補正テーブルを用いて色補正処理を行うかを画像データの領域毎に定めたマスクパターンを参照することによって色補正処理に用いる色補正テーブルを画素毎に選択し、選択した色補正テーブルを用いて各画素の色補正処理を行う。
【００３０】
また、本発明の画像処理方法は、上記各色補正テーブルは、同じ第１色空間の画像データに対応する第２色空間の画像データとして、複数色の色材を用いて記録材上にカラー画像を形成する所定の画像形成装置によって既定の色材を用いて上記第１色空間の画像データに対応する画像を形成したときに略同じ色に視認され、かつ各色成分の信号値の組み合わせが上記色補正テーブル毎に異なる第２色空間の画像データを記憶しており、上記色補正工程では、上記複数の色補正テーブルのうちのいずれの色補正テーブルを用いて色補正処理を行うかを画像データの領域毎に定めたマスクパターンを参照することによって色補正処理に用いる色補正テーブルを画素毎に選択し、選択した色補正テーブルを用いて各画素の色補正処理を行う。
【００３１】
それゆえ、既定の色材とは特性が異なる色材が使用された場合に上記のパターンをユーザに視認させて警告することができる。
【発明を実施するための最良の形態】
【００３２】
本発明の一実施形態について説明する。なお、本実施形態では、本発明を電子写真方式の画像形成装置に適用する場合について説明するが、本発明の適用対象はこれに限るものではなく、複数色の色材を用いてカラー画像を形成する画像形成装置であれば適用できる。例えば、インクジェット方式の画像形成装置にも適用できる。
【００３３】
図２は、本実施形態に係るカラー画像処理装置（画像処理装置）１０を備えたデジタルカラー複写機（画像形成装置）１の概略構成を示すブロック図である。この図に示すように、デジタルカラー複写機１は、カラー画像入力装置２０、カラー画像処理装置１０、およびカラー画像出力装置３０を備えている。
【００３４】
カラー画像入力装置２０は、例えば、電荷結合素子（Charge Coupled Device；以下、ＣＣＤと称する）を備えたスキャナ部より構成され、原稿画像が記録された紙からの反射光像を、ＣＣＤにてＲＧＢのアナログ信号として読み取り、カラー画像処理装置１０に入力するものである。
【００３５】
カラー画像処理装置１０は、図２に示すように、Ａ／Ｄ変換部１１、シェーディング補正部１２、入力階調補正部１３、領域分離処理部１４、色補正部１５、空間フィルタ処理部１６、出力階調補正部１７、および、階調再現処理部１８を備えている。そして、上記カラー画像処理装置１０に、カラー画像入力装置２０とカラー画像出力装置３０とが接続され、全体としてデジタルカラー複写機１を構成している。また、デジタルカラー複写機１には、操作パネル４０が備えられている。
【００３６】
カラー画像入力装置２０にて読み取られたアナログ信号は、カラー画像処理装置１０内を、Ａ／Ｄ変換部１１、シェーディング補正部１２、入力階調補正部１３、領域分離処理部１４、色補正部１５、空間フィルタ処理部１６、出力階調補正部１７、および階調再現処理部１８の順で送られ、ＣＭＹＫのデジタルカラー信号として、カラー画像出力装置３０へ出力される。
【００３７】
Ａ／Ｄ（アナログ／デジタル）変換部１１は、入力されてきたＲＧＢのアナログ信号をデジタル信号に変換するものである。シェーディング補正部１２は、Ａ／Ｄ変換部１１より送られてきたＲＧＢのデジタル信号に対して、カラー画像入力装置２０の照明系、結像系、撮像系で生じる各種の歪みを取り除く処理を施すものである。
【００３８】
入力階調補正部１３は、シェーディング補正部１２にて各種の歪みが取り除かれたＲＧＢ信号（ＲＧＢの反射率信号）のカラーバランスを整えるとともに、濃度信号などのカラー画像処理装置１０に採用されている画像処理システムの扱い易い信号に変換する。
【００３９】
領域分離処理部１４は、ＲＧＢ信号によって表現されている入力画像の各画素を、例えば文字領域、網点領域、写真領域（印画紙写真領域）などの複数の領域に分離するものである。そして、領域分離処理部１４は、上記分離結果に基づき、入力画像の各画素がどの領域に属しているかを示す領域識別信号を、空間フィルタ処理部１６、および階調再現処理部１８へと出力すると共に、入力階調補正部１３より出力された入力信号をそのまま後段の色補正部１５に出力する。
【００４０】
色補正部１５は、色を忠実に再現するために、不要吸収成分を含むＣＭＹ（Ｃ：シアン・Ｍ：マゼンタ・Ｙ：イエロー）色材の分光特性に基づいた色濁りを取り除く処理を行う。色補正部１５には、第１色補正テーブルおよび第２色補正テーブルが備えられており、ＲＧＢ信号をＣＭＹＫ信号に変換する。このとき、いずれの色補正テーブルを用いて色補正処理を行うかを予め用意されたマスクパターンによって示された領域毎に異ならせる。色補正部１５の詳細については後述する。
【００４１】
なお、入力画像における各領域の種別に応じた複数の色補正テーブルセットを作成しておき、領域分離処理部１４が領域識別信号を色補正部１５に出力し、色補正部１５が入力画像における各領域の種別に応じた色補正テーブルセットを用いて領域毎に色補正処理を行うようにしてもよい。
【００４２】
空間フィルタ処理部１６は色補正部１５から入力されるＣＭＹＫ信号の画像データに対して、領域識別信号を基にデジタルフィルタによる空間フィルタ処理を行い、空間周波数特性を補正することによって、出力画像のぼやけや粒状性劣化を軽減する。
【００４３】
出力階調補正部１７は、濃度信号などの信号をカラー画像出力装置３０の特性値である網点面積率に変換する出力階調補正処理を行うものである。
【００４４】
階調再現処理部１８は、空間フィルタ処理部１６と同様に、ＣＭＹＫ信号の画像データに対して、領域識別信号を基に所定の処理を施すものであり、最終的に画像の階調を擬似的に再現できるように処理する階調再現処理（中間調生成）を施す。
【００４５】
例えば、領域分離処理部１４によって文字領域として分離された領域は、特に黒文字または色文字の再現性を高めるために、空間フィルタ処理部１６による空間フィルタ処理において鮮鋭強調処理が施されて高周波成分が強調され、階調再現処理部１８によって高周波成分の再現に適した高解像度のスクリーンを用いた二値化または多値化処理が施される。
【００４６】
また、領域分離処理部１４によって網点領域として分離された領域に関しては、空間フィルタ処理部１６によって、入力網点成分を除去するためのローパス・フィルタ処理が施され、出力階調補正部１７によってＣＭＹＫ信号をカラー画像出力装置３０の出力特性に基づく出力階調補正処理が施され、階調再現処理部１８によって階調性を重視した階調再現処理が施される。
【００４７】
また、領域分離処理部１４にて写真領域として分離された領域に関しては、階調再現処理部１８によって、階調再現性を重視したスクリーンを用いた二値化または多値化処理が行われる。
【００４８】
上述した各処理が施された画像データは、図示しない記憶部に一旦記憶され、所定のタイミングで読み出されてカラー画像出力装置３０に出力される。
【００４９】
カラー画像出力装置３０は、入力された画像データに対応する画像を記録媒体（例えば紙等）上に出力するものである。カラー画像出力装置３０における画像の形成方法は特に限定されるものではなく、例えば、電子写真方式やインクジェット方式などを用いることができる。なお、以上の処理は図示しない主制御部（ＣＰＵ（Central Processing Unit））により制御される。
【００５０】
操作パネル４０は、ユーザからの指示入力を受け付けるものであり、操作パネル４０に入力された情報はカラー画像処理装置１０の主制御部（図示せず）に送られる。操作パネル４０としては、例えば、ユーザに提示する各種情報を表示する液晶ディスプレイ等からなる表示部と、ユーザが動作モードの設定等を行うための設定ボタンやテンキー等からなる操作部とを備えた操作パネルを用いることができる。また、操作パネル４０は表示部と操作部とが一体化されたタッチパネルであってもよい。上記主制御部は、操作パネル４０に入力された情報等に基づいてカラー画像入力装置２０、カラー画像処理装置１０、およびカラー画像出力装置３０における各部の動作を制御する。
【００５１】
次に、色補正部１５の詳細について説明する。図１は、色補正部１５の構成を示すブロック図である。
【００５２】
この図に示すように、色補正部１５は、色補正処理部５１、第１色補正テーブル記憶部５２、第２色補正テーブル記憶部５３、およびマスクパターン記憶部５４を備えている。
【００５３】
第１色補正テーブル記憶部５２および第２色補正テーブル記憶部５３には、領域分離処理部１４から入力される画像データにおけるＲ、Ｇ，Ｂの値（第１色空間における各色の信号値）の組み合わせと、それに対応する出力画像データにおけるＣ，Ｍ，Ｙ，Ｋの値（第２色空間における各色の信号値）の組み合わせとを互いに対応付けて記憶した第１色補正テーブルおよび第２色補正テーブルがそれぞれ記憶されている。なお、第１色補正テーブルおよび第２色補正テーブルでは、共通のＲ，Ｇ，Ｂの値の組み合わせに対して、カラー画像出力装置３０によって純正品のトナー（既定の色材）を用いて記録材上に画像形成されたときに略同様の色味に視認されるが、色補正テーブル同士で異なるＣ，Ｍ，Ｙ，Ｋの値の組み合わせが設定されている。第１色補正テーブルおよび第２色補正テーブルの生成方法については後述する。
【００５４】
マスクパターン記憶部５４は、第１色補正テーブルを用いて色補正処理を行うか第２色補正テーブルを用いて色補正処理を行うかを画像領域毎に示したマスクパターンを記憶している。
【００５５】
図３は、マスクパターンの一例を示す説明図である。この図に示す例では、白地部分の領域については第１色補正テーブルを用いて色補正処理を行い、黒線部分の領域については第２色補正テーブルを用いて色補正処理を行うように設定されている。
【００５６】
なお、本実施形態では、カラー画像処理装置１０において画像処理を行うことのできる最大サイズの画像に対応する大きさのマスクパターンをマスクパターン記憶部５４に記憶させている。そして、図４に示すように、色補正処理部５１が、マスクパターン記憶部５４に記憶されているマスクパターンから画像処理を行う処理対象画像のサイズに応じたパターンを抽出して色補正テーブルの選択に用いるようになっている。処理対象画像のサイズの検知方法は特に限定されるものではないが、例えば、カラー画像入力装置２０内に配置されたフォトトランジスタなどの光電変換素子により、原稿台に載置された原稿の主走査方向および副走査方向のサイズを検知し、検知結果を色補正処理部５１に入力するようにしてもよい。また、ユーザが操作パネル４０を介して入力した原稿サイズに関する情報に基づいて原稿サイズを検知し、検知結果を色補正処理部５１に入力するようにしてもよい。
【００５７】
図５は、色補正処理部５１における処理の流れを示すフロー図である。この図に示すように、色補正処理部５１は、まず、領域分離処理部１４から入力されたＲＧＢの画像データにおける注目画素（色補正処理の対象画素）について、マスクパターン記憶部５４に記憶されているマスクパターンにおける第１領域に属するか否かを判断する（Ｓ１）。
【００５８】
そして、第１領域に属すると判断した画素については、第１色補正テーブルを用いて当該画素の色補正処理を行う（Ｓ２）。一方、第１領域に属さないと判断した画素、すなわち第２領域に属すると判断した画素については、第２色補正テーブルを用いて当該画素の色補正処理を行う（Ｓ３）。
【００５９】
その後、全ての画素について色補正処理を行ったか否かを判断し（Ｓ４）、未処理の画素がある場合には当該画素に対してＳ１〜Ｓ３の処理を行う。一方、全ての画素について色補正処理を完了したと判断した場合、処理を終了する。
【００６０】
次に、第１色補正テーブルおよび第２色補正テーブルの作成方法について説明する。
【００６１】
ＣＭＹＫのトナーを組み合わせて画像を形成する場合、測色的に同じ色になるＣＭＹＫの組み合わせは複数存在する。そこで、本実施形態では、同じ色（同じＲ，Ｇ，Ｂの信号値（濃度値）の組み合わせ）に対して、異なるＣＭＹＫの信号値（濃度値）の組み合わせを出力する２種類の色補正テーブルを第１色補正テーブルおよび第２色補正テーブルとして作成する。
【００６２】
具体的には、まず、カラー画像出力装置３０を用いて、このカラー画像出力装置３０が出力できる複数の色座標（例えばカラー画像出力装置３０が出力できる全ての色座標）のカラー画像データ（ＣＭＹＫの画像データ）に対応する画像をＣＭＹＫの各色の純正品のトナー（既定の色材）を用いて記録材上に出力し、記録材に出力された各色座標に対応する画像の色を色彩計などの測定器で測定する（第１測色工程）。これによって、Ｌ＊ａ＊ｂ＊表色系のデータが得られる。
【００６３】
次に、測定結果から得られた出力画像における上記のＬ＊ａ＊ｂ＊表色系のデータと、色座標の画像データ（ＣＭＹＫの画像データ）とを対応付ける。対応付けの方法は特に限定されるものではなく、例えば、ニューラルネットワークを利用する方法、あるいはマスキング演算係数決定方法などを用いることができる。これにより、カラー画像出力装置３０の出力特性が定義される。
【００６４】
次に、ＣＭＹＫの各色毎に複数の濃度データ（パッチ）が記録されたカラーチャートにおける各色の各濃度データを色彩計などの測定器で測定し、上記カラーチャートについてのＬ＊ａ＊ｂ＊表色系のデータを取得する。次に、上記のカラーチャートをカラー画像入力装置２０で読み取り、ＲＧＢの画像データを取得する。上記のＬ＊ａ＊ｂ＊表色系データと上記のＲＧＢの画像データとを対応付ける。対応付けの手法としては、出力特性の場合と同様、ニューラルネットワーク、あるいはマスキング演算係数決定方法などを用いることができる。これにより、カラー画像入力装置２０の入力特性が定義される。
【００６５】
次に、上記のように算出した、カラー画像出力装置３０によって出力された画像におけるＬ＊ａ＊ｂ＊表色系のデータとＣＭＹＫの画像データとの対応関係と、カラー画像入力装置２０によって読み取られた入力画像におけるＲＧＢの画像データとＬ＊ａ＊ｂ＊表色系のデータとを組み合わせて１種類目の色補正テーブル（第１色補正テーブル）を作成する。この際、第１色補正テーブルの出力画像データはＫの成分を含むＣＭＹＫの画像データであるので、Ｃ，Ｍ，Ｙの各信号値として下色除去が施された結果が格納されることになる。すなわち、ＲＧＢの画像データに対応するＣＭＹの画像データから、当該画像データにおけるＣＭＹの３色の重なり部分からなるグレー成分を減らしてＫ成分で置き換えたＣＭＹＫの画像データが第１色補正テーブルに格納される。
【００６６】
なお、入力画像データがカラー画像入力装置２０で読み取るのではなく電子データとして入力される場合には、入力画像データの表色系（例えば、ｓＲＧＢ）とＬ＊ａ＊ｂ＊表色系の対応付けは明らかであるため、カラー画像出力装置３０によって出力された画像におけるＬ＊ａ＊ｂ＊表色系のデータとＣＭＹＫの画像データとの対応関係に基づいて第１色補正テーブルを作成すればよい。
【００６７】
次に、カラー画像出力装置３０を用いて、このカラー画像出力装置３０が出力できる複数の色座標（例えばカラー画像出力装置３０が出力できる全ての色座標）のカラー画像データ（ＣＭＹの画像データ）に対応する画像をＣＭＹの各色の純正品のトナー（既定の色材）を用いて記録材上に出力し、記録材に出力された各色座標に対応する画像の色を色彩計などの測定器で測定する（第２測色工程）。つまり、各色座標のカラー画像データに応じた画像を、Ｋのトナーを用いずにＣＭＹのトナーのみを用いて記録材上に出力し、記録材に出力された各色座標に対応する画像の色を色彩計などの測定器で測定する。これによって、Ｌ＊ａ＊ｂ＊表色系のデータが得られる。
【００６８】
その後、このようにして取得したＬ＊ａ＊ｂ＊表色系のデータを用いて、第１色補正テーブルと同様の作成方法によって２種類目の色補正テーブル（第２色補正テーブル）を作成する。
【００６９】
なお、第２色補正テーブルを作成する際にはＫのトナーを用いていないことから、同じ入力色に対して出力の測色値をＣＭＹＫの各色のトナーを用いた場合と完全に一致させることができない色領域が存在する。例えば、（Ｒ，Ｇ，Ｂ）＝（０，０，０）に対して、第１色補正テーブルで（Ｃ，Ｍ，Ｙ，Ｋ）＝（０，０，０，２５５）が対応付けられている場合に、第２色補正テーブルにおいてＫを用いない場合（Ｋ＝０とする場合）には第１色補正テーブルと測色値が一致するようなＣＭＹの値を設定することができない。
【００７０】
このような値に関しては、第２色補正テーブルにおいて第１色補正テーブルと同じ値（出力値）を用いるようにする。
【００７１】
具体的には、入力画像データの各色について、ＣＭＹＫの各色を用いて記録材上に出力した画像についての測色値とＣＭＹのみを用いて記録材上に出力した画像についての測色値との色差ΔＥを求め、この色差ΔＥの値が予め定めた所定値（例えば１０）以上の場合には、第２色補正テーブルにおける上記の入力画像データの色に対応する出力値を第１色補正テーブルと同じ値に置き換える。
【００７２】
色差ΔＥは、２色のＬ＊ａ＊ｂ＊値を（Ｌ１，ａ１，ｂ１）、（Ｌ２，ａ２，ｂ２）とすると、
ΔＥ＝√（（Ｌ１−Ｌ２）２＋（ａ１−ａ２）２＋（ｂ１−ｂ２）２）
で表される。
【００７３】
以上のように、本実施形態では、第１色補正テーブル記憶部５２および第２色補正テーブル記憶部５３に、共通のＲ，Ｇ，Ｂの値の組み合わせに対してカラー画像出力装置３０によって純正品のトナーを用いて記録材上に画像形成されたときに略同様の色味に視認されるが、各色成分の信号値の組み合わせが互いに異なる第１色補正テーブルと第２色補正テーブルとをそれぞれ記憶させておく。つまり、第１色補正テーブルと第２色補正テーブルとは、ある入力画像の色に対して出力色における各色の濃度比率が互いに異なる値となるように構成されているが、純正品のトナーを用いて画像形成した場合に、可視光下ではこの異なる２つの出力色が実質的に同一に見えるように設定されている。なお、本実施形態では、記録材上に形成された画像同士の色差ΔＥが１０未満である場合に、これら両画像は略同じ色であるとみなす。
【００７４】
そして、第１色補正テーブルを用いて色補正処理を行う第１領域と第２色補正テーブルを用いて色補正処理を行う第２領域とを示すマスクパターンをマスクパターン記憶部５４に記憶させておき、色補正処理部５１が、マスクパターンに基づいて第１色補正テーブルまたは第２色補正テーブルのいずれかを画素毎に選択して色補正処理を行う。
【００７５】
これにより、図６に示すように、純正品のトナー（正規トナー；既定の色材）を用いて画像形成を行った場合には、第１領域と第２領域とで異なる色補正テーブルを用いて色補正処理を行っているものの、色味の違いはユーザに視認されない。
【００７６】
一方、純正品のトナーとは特性が異なるトナー、すなわち、各色のうちの少なくとも１色の分光分布の特性が純正品における当該色の分光分布の特性と異なるトナーを用いて画像形成を行った場合、純正品のトナーとは分光特性が異なるため、第１領域と第２領域とで異なる色補正テーブルを用いて色補正処理を行った場合に、図６に示すように、同じ色に視認されるべき部分が異なる色に視認され、色補正テーブルを切り替えるために使用したマスクパターンの模様が浮き上がって見える。
【００７７】
したがって、本実施形態の構成によれば、純正品とは特性が異なるトナーが使用された場合にのみ顕在化するパターンを埋め込んで画像形成を行うことで、純正品とは特性が異なるトナーが使用された場合にそのことをユーザに警告することができる。
【００７８】
なお、本実施形態では、第２色補正テーブルを作成する際、入力画像データの各色のうち、ＣＭＹＫの各色を用いて記録材上に出力した画像についての測色値とＣＭＹのみを用いて記録材上に出力した画像についての測色値との色差ΔＥが予め定めた所定値（例えば１０）以上の場合には、第２色補正テーブルにおける上記の入力画像データの色に対応する出力値を第１色補正テーブルと同じ値に置き換えるものとしたが、これに限るものではない。
【００７９】
例えば、上記の置き換えを行う前の第２色補正テーブルを第２色補正テーブル記憶部５３に記憶させるとともに、色補正処理部５１が、処理対象の画像データにおける各画素について、上記の色差ΔＥが所定値以上になるか否かを判断し、所定値以上になる場合にはマスクパターンによらず第１色補正テーブルを用いるようにしてもよい。
【００８０】
図７は、この場合の色補正部１５の構成例を示すブロック図である。この図に示す色補正部１５は、図１に示した色補正部１５に加えて、色差情報記憶部５５を備えている。また、第２色補正テーブル記憶部５３には、上記の置き換えを行う前の第２色補正テーブルが記憶されている。
【００８１】
図８は、図７に示した色補正部１５の色補正処理部５１における処理の流れを示すフロー図である。この図に示すように、色補正処理部５１は、まず、領域分離処理部１４から入力された画像データの各画素について、上記記憶部に記憶させておいた情報に基づいて色差ΔＥが所定値以上になる条件であるか否かを判断する（Ｓ０）。そして、色差ΔＥが所定値以上になると判断した場合、マスクパターンにかかわらず、第１色補正テーブルを用いて当該画素の色補正処理を行う（Ｓ２）。
【００８２】
一方、色差ΔＥが所定値以上にならないと判断した場合、当該画素がマスクパターン記憶部５４に記憶されているマスクパターンにおける第１領域に属するか否かを判断する（Ｓ１）。
【００８３】
そして、第１領域に属すると判断した画素については、第１色補正テーブルを用いて当該画素の色補正処理を行う（Ｓ２）。一方、第１領域に属さないと判断した画素、すなわち第２領域に属すると判断した画素については、第２色補正テーブルを用いて当該画素の色補正処理を行う（Ｓ３）。
【００８４】
その後、全ての画素について色補正処理を行ったか否かを判断し（Ｓ４）、未処理の画素がある場合には当該画素に対してＳ０〜Ｓ４の処理を行う。一方、全ての画素について色補正処理を完了したと判断した場合、処理を終了する。
【００８５】
また、本実施形態では、マスクパターン記憶部５４に予め格納されているマスクパターンを用いて色補正処理に用いる色補正テーブルを選択する構成について説明したが、これに限るものではなく、色補正部１５が処理対象画像に応じてマスクパターンを生成し、生成したマスクパターンを用いて色補正処理を行うようにしてもよい。
【００８６】
図９はこの場合の色補正部１５の構成例を示したブロック図である。この図に示す色補正部１５は、図１にした色補正部１５におけるマスクパターン記憶部５４に代えて、マスクパターン生成部５６と基本パターン記憶部５７を備えている。
【００８７】
基本パターン記憶部５７には、カラー画像処理装置１０において画像処理を行うことのできる画像の最大サイズよりも小さい所定のサイズ（例えば、２５６画素×２５６画素）の基本マスクパターンが記憶されている。
【００８８】
マスクパターン生成部５６は、図１０に示すように、基本パターン記憶部５７に記憶されている基本マスクパターンを組み合わせることにより、処理対象画像のサイズに応じたマスクパターンを生成する。
【００８９】
また、本実施形態では、第２領域を複数のライン状に形成したマスクパターンを用いているが、マスクパターンの形状はこれに限るものではない。例えば、予め文字フォントの情報を保持しておき、例えば日付、時刻、画像形成装置のＩＤや使用者のＩＤなどの文字列情報などの事前に指定された条件と上記の文字フォントとに基づいて２値画像を生成し、この２値画像に対応するマスクパターンを生成するようにしてもよい。
【００９０】
また、本実施形態では、本発明をＲＧＢ色空間の入力画像データをＣＭＹＫ色空間の出力画像データに変換する色変換処理（色補正処理）に適用する場合の例について説明したが、入力画像データの色空間（第１色空間）および出力画像データの色空間（第２色空間）はこれに限るものではない。
【００９１】
また、本実施形態において、カラー画像処理装置（画像処理装置）１０の各部は、ＣＰＵ等のプロセッサを用いてソフトウェアによって実現されるものであってもよい。この場合、カラー画像処理装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるカラー画像処理装置１０の制御プログラムのプログラムコード（実行形式プログラム、中間コードプログラム、ソースプログラム）をコンピュータで読み取り可能に記録した記録媒体を、カラー画像処理装置１０に供給し、そのコンピュータ（またはＣＰＵやＭＰＵ）が記録媒体に記録されているプログラムコードを読み出し実行することによって達成される。
【００９２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９３】
また、カラー画像処理装置１０を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９４】
また、カラー画像処理装置１０の各ブロックは、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【００９５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９６】
本発明は、第１色空間の画像データを第２色空間の画像データに変換する色補正処理を行う画像処理装置、画像処理方法、および上記画像処理装置に適用できる。
【図面の簡単な説明】
【００９７】
【図１】本発明の一実施形態にかかる画像処理装置に備えられる色補正部の構成を示すブロック図である。
【図２】本発明の一実施形態にかかる画像処理装置および画像形成装置の概略構成を示すブロック図である。
【図３】図１に示した色補正部に備えられるマスクパターン記憶部に記憶されているマスクパターンの一例を示す説明図である。
【図４】図３に示したマスクパターンから画像データのサイズに応じたマスクパターンを抽出する方法を示す説明図である。
【図５】図１に示した色補正部に備えられる色補正処理部の処理の流れを示すフロー図である。
【図６】正規トナーを用いて画像形成した場合、および正規トナーとは分光特性の異なるトナーを用いて画像形成した場合の画像出力結果の一例を示す説明図である。
【図７】図１に示した色補正部の変形例を示すブロック図である。
【図８】図７に示した色補正部に備えられる色補正処理部の処理の流れを示すフロー図である。
【図９】図１に示した色補正部の変形例を示すブロック図である。
【図１０】図９に示した色補正部に備えられるマスクパターン生成部におけるマスクパターンの生成方法の一例を示す説明図である。
【符号の説明】
【００９８】
１  デジタルカラー複写機（画像形成装置）
１０  カラー画像処理装置（画像処理装置）
１５  色補正部
２０  カラー画像入力装置
３０  カラー画像出力装置
５１  色補正処理部
５２  第１色補正テーブル記憶部
５３  第２色補正テーブル記憶部
５４  マスクパターン記憶部
５５  色差情報記憶部
５６  マスクパターン生成部
５７  基本パターン記憶部
【図１】
2010130501.tif 000003
【図２】
2010130501.tif 000004
【図３】
2010130501.tif 000005
【図４】
2010130501.tif 000006
【図５】
2010130501.tif 000007
【図６】
2010130501.tif 000008
【図７】
2010130501.tif 000009
【図８】
2010130501.tif 000010
【図９】
2010130501.tif 000011
【図１０】
2010130501.tif 000012